(57)【要約】【課題】十分な強度を有し、取扱い易い、物品収納棚の物品落下防止装置を提供する。【解決手段】物品収納棚３０の左右の支柱３２，３４の前面に突出するように取り付けられるブラケット部１０と、物品収納棚３０の左右の支柱３２，３４間に掛け渡される２本の長手部２２，２３と、その２本の長手部２２，２３の端部を結合する２本の短手部２４，２５により略矩形状に形成された落下防止バー２０と、を備え、ブラケット部１０は、落下防止バー２０の長手部２２，２３の一方が挿入された状態で、落下防止バー２０の長手部２２，２３を、回動可能に上下にスライドさせる第１縦溝部１２と、第１縦溝部１２の上方に設けられ、落下防止バー２０の他方の長手部２３が上側から挿入できるように、開口部を有する第２縦溝部１４と、を備えた、物品収納棚３０の物品落下防止装置１。【選択図】図１
0003178400.tif 000002
【実用新案登録請求の範囲】
【請求項１】
物品収納棚の左右の支柱の前面に突出するように取り付けられるブラケット部と、
前記物品収納棚の左右の支柱間に掛け渡される２本の長手部と該２本の長手部の端部を結合する２本の短手部により略矩形状に形成された落下防止バーと、
を備え、
前記ブラケット部は、
前記落下防止バーの長手部の一方が挿入された状態で、前記落下防止バーの長手部を、回動可能に上下にスライドさせる第１縦溝部と、
前記第１縦溝部の上方に設けられ、前記落下防止バーの他方の長手部が上側から挿入できるように、開口部を有する第２縦溝部と、
を備えたことを特徴とする物品収納棚の物品落下防止装置。
【請求項２】
請求項１に記載の物品落下防止装置において、
前記第１縦溝部は、
溝の下端部が上端部よりも前記物品収納棚に近い位置にあることを特徴とする物品落下防止装置。
【請求項３】
請求項１又は請求項２に記載の物品落下防止装置において、
前記第１縦溝部は、
上端部から前記物品収納棚側の側端までの水平方向の切欠きを有することを特徴とする物品落下防止装置。
【請求項４】
請求項１〜請求項３のいずれか１項に記載の物品落下防止装置において、
前記第２縦溝部は、
溝を形成する両側面のうち前記物品収納棚側の内側面が上方斜め方向に形成されており、
他方の側面が前記開口部の上側に、前記開口部を覆うように延伸されていることを特徴とする物品落下防止装置。
【請求項５】
請求項１〜請求項４のいずれか１項に記載の物品落下防止装置において、
前記第２縦溝部は、
溝を形成する両側面のうち前記物品収納棚側の側面が前記開口部上端よりも上方に延伸され、該延伸された部分の内側面側が一部切り欠かかれていることを特徴とする物品落下防止装置。
【考案の詳細な説明】
【技術分野】
【０００１】
本考案は、物品収納棚に載置した物品の落下を防止するための物品落下防止装置に関する。
【背景技術】
【０００２】
従来、物品収納棚に載置した物品の落下を防止するために、物品収納棚の左右の支柱に、上下方向にスライド案内溝を設けたブラケットを取付け、断面がＬ字形の落下防止バーを、スライド案内溝相互間に上下方向に沿ってスライドできるように架け渡し、スライド溝の上部に、落下防止バーを係合保持するための保持部を形成した物品落下防止装置がある。
【０００３】
このような物品落下防止装置では、落下防止バーをブラケットのスライド案内溝の下端まで下げた状態で物品を物品収納棚に出し入れし、載置状態では、落下防止バーを上方にスライドさせて保持部に係合保持することにより、物品が収納棚から落下しないようにすることができるようになっている（例えば、特許文献１参照）。
【先行技術文献】
【特許文献】
【０００４】
【特許文献１】登録実用新案第３００３６１９号公報
【考案の概要】
【考案が解決しようとする課題】
【０００５】
ところが、このような物品落下防止装置では、物品棚に対する物品の出し入れや落下防止ができるようになるものの、落下防止バーが１本であるため、物品が重い場合や大きい場合には、強度が不足するという問題がある。
【０００６】
また、強度を確保するために、落下防止バーを太くすると取扱い難くなり、デザイン性も悪くなる。さらに、落下防止バーを２本にすることも考えられるが、取扱い性が悪くなり使い難くなってしまうという問題がある。
【０００７】
本考案は、こうした問題に鑑みなされたもので、十分な強度を有し、取扱い易い物品落下防止装置を提供することを目的とする。
【課題を解決するための手段】
【０００８】
この欄においては、考案に対する理解を容易にするため、必要に応じて「考案を実施するための形態」欄において用いた符号を付すが、この符号によって請求の範囲を限定することを意味するものではない。
【０００９】
上記「考案が解決しようとする課題」において述べた問題を解決するためになされた考案は、ブラケット部（１０）と落下防止バー（２０）とを備えた、物品収納棚（３０）の物品落下防止装置（１）である。
【００１０】
ブラケット部（１０）は、物品収納棚（３０）の左右の支柱（３２，３４）の前面に突出するように取り付けられるものであり、落下防止バー（２０）は、物品収納棚（３０）の左右の支柱（３２，３４）間に掛け渡される２本の長手部（２２，２３）とその２本の長手部（２２，２３）の端部を結合する２本の短手部（２４，２５）により略矩形状に形成されたものである。
【００１１】
また、ブラケット部（１０）は、落下防止バー（２０）の長手部（２２，２３）の一方が挿入された状態で、落下防止バー（２０）の長手部（２２，２３）を、回動可能に上下にスライドさせる第１縦溝部（１２）と、第１縦溝部（１２）の上方に設けられ、落下防止バー（２０）の他方の長手部（２３）が上側から挿入できるように、開口部（１８）を有する第２縦溝部（１４）とを備えている。
【００１２】
このような物品落下防止装置（１）では、落下防止バー（２０）が略矩形状に形成されているため、落下防止バー（２０）自体の強度が１本のものに比べて強くなる。
また、物品収納棚（３０）の左右の支柱（３２，３４）の前面に、常に２本の長手部（２２，２３）が架け渡されることになるため、短手部（２４，２５）の長さを適切に設定することにより、物品収納棚（３０）に収納されている物品の高さが高い場合には、その物品の側面を２箇所で支えることになり、高さの高い物品であっても物品の落下を防止することができる。
【００１３】
さらに、物品収納棚（３０）に物品を縦に２個重ねて収納するような場合には、２本の長手部（２２，２３）のうち上下の長手部（２２，２３）で、上下に重ねられた物品のそれぞれの側面を支えることができるので、２個の物品を重ねて収納した場合でも、両方の物品の落下を防止することができる。
【００１４】
また、物品収納棚（３０）の左右の支柱（３２，３４）に取り付けられたブラケット部（１０）には、落下防止バー（２０）の長手部（２２，２３）の一方が挿入された状態で、落下防止バー（２０）の長手部（２２，２３）を、回動可能に上下にスライドさせる第１縦溝部（１２）が設けられ、さらに、落下防止バー（２０）の他方の長手部（２３）が上側から挿入できるように、開口部（１８）を有する第２縦溝部（１４）が第１縦溝部（１２）の上方に設けられている。
【００１５】
したがって、落下防止バー（２０）を、一方の長手部（２２）を中心に回動させながら上向きに移動させ、他方の長手部（２３）を第２縦溝部（１４）に挿入した後に、落下防止バー（２０）全体を少し下向きに移動させることによって、落下防止バー（２０）を簡単に固定することができる。
【００１６】
逆に、落下防止バー（２０）を取り外す際には、落下防止バー（２０）全体を少し上向きに移動させて、他方の長手部（２３）を第２縦溝部（１４）から抜き、一方の長手部（２２）を中心に回動させながら、第１縦溝部（１２）を下向きに移動させることにより、簡単に、落下防止バー（２０）全体を、第１縦溝部（１２）の下端からに吊り下げるようにして取り外すことができる。
【００１７】
なお、「物品収納棚（３０）の左右の支柱（３２，３４）」とは、いわゆる柱状のものだけでなく、支柱の機能を有する側板を兼ねた形状のものも含む意味である。
また、請求項２に記載のように、第１縦溝部（１２）の下端部が上端部よりも物品収納棚（３０）に近い位置にあるようにすると、落下防止バー（２０）を取り外した状態（第１縦溝部（１２）の下端に吊り下げた状態）のときに、落下防止バー（２０）が物品収納棚（３０）に近づいた状態になるので、物品収納棚（３０）から物品を取り出す際に、落下防止バー（２０）がじゃまにならない。
【００１８】
また、物品や作業者の手が触れるなどの原因により落下防止バー（２０）が揺れても、物品収納棚（３０）に強く当たることがないので、落下防止バー（２０）や物品収納棚（３０）を傷つけることがなくなる。
【００１９】
ところで、落下防止バー（２０）が矩形状であるため、その一方の長手部（２２）を第１縦溝部（１２）に挿入するためには、落下防止バー（２０）を分割可能に構成し、分割した状態で一方の長手部（２２）を第１縦溝部（１２）に挿入した後に、再度組み立てるという方法も考えられるが、請求項３に記載のように、第１縦溝部（１２）に、上端部から物品収納棚（３０）側の側端までの水平方向の切欠き（１６）を設けるようにしてもよい。
【００２０】
このようにすると、落下防止バー（２０）を分割可能な構造とせず、一体化構造としても、その切欠き（１６）から落下防止バー（２０）（一方の長手部（２２））を挿入することができるので、落下防止バー（２０）をより強度が高く、低コストで作ることができる。
【００２１】
また、請求項４に記載のように、第２縦溝部（１４）の溝を形成する両側面のうち物品収納棚（３０）側の内側面が上方斜め方向に形成されており、他方の側面が開口部（１８）の上側に、開口部（１８）を覆うように延伸されているようにするとよい。
【００２２】
このようにすると、落下防止バー（２０）の他方の長手部（２３）を第２縦溝部（１４）に挿入しやすく、かつ、一端挿入した他方の長手部（２３）が、例えば地震の震動などで抜けにくくなる。
【００２３】
また、請求項５に記載のように、第２縦溝部（１４）の溝を形成する両側面のうち物品収納棚（３０）側の側面を開口部（１８）上端よりも上方に延伸させ、延伸した部分の内側面側を一部切り欠くとよい。
【００２４】
このようにすると、落下防止バー（２０）の他方の長手部（２３）を第２縦溝部（１４）に挿入しやすく、かつ、挿入の際に他方の長手部（２３）が物品収納棚（３０）に衝突することがなくなるので、物品収納棚（３０）を傷つけることがない。
【図面の簡単な説明】
【００２５】
【図１】物品落下防止装置を物品収納棚に取り付けたときの概略の状態を示す外観図である。
【図２】第１実施形態におけるブラケット部の概略の構造を示す外観図である。
【図３】落下防止バーの概略の構造を示す外観図である
【図４】第２実施形態におけるブラケット部の概略の構造を示す外観図である。
【考案を実施するための形態】
【００２６】
以下、本考案が適用された実施形態について図面を用いて説明する。なお、本考案の実施の形態は、下記の実施形態に何ら限定されることはなく、本考案の技術的範囲に属する限り種々の形態を採りうる。
［第１実施形態］
図１、図２及び図３に基づき、本考案が適用された物品収納棚の物品落下防止装置１（以下、単に、物品落下防止装置１ともいう）について説明する。
【００２７】
本考案に係る物品落下防止装置１は、図１に示すように、ブラケット部１０と落下防止バー２０とを備えている。
ブラケット部１０は、スチールなどの金属の板材を加工して形成されており、物品収納棚３０の左右の支柱３２，３４の前面に突出するように、図示しないボルトで取り付けられている。
【００２８】
また、図２に示すように、ブラケット部１０には、第１縦溝部１２及び第２縦溝部１４の２つの縦溝が設けられている。
第１縦溝部１２は、ブラケット部１０の下端から、ほぼ中程にかけて設けられた縦溝であり、落下防止バー２０の長手部２２，２３の断面の直径よりも若干大きな溝幅を有している。
【００２９】
そして、落下防止バー２０の長手部２２，２３（図３参照）の一方（ここでは、長手部２２とする）が挿入された状態で、落下防止バー２０の長手部２２，２３を、一方の長手部２２を中心に回動しつつ、上下にスライドさせることができるようになっている。
【００３０】
また、第１縦溝部１２は、下端部が上端部よりも物品収納棚３０に近い位置となるように形成されており、具体的には図２に示すように、溝の下部約３分の１程度が物品収納棚側に曲がった形になっている。
【００３１】
さらに、第１縦溝部１２の上端部から物品収納棚３０側の側端まで、水平方向の切欠き１６が設けられている
第２縦溝部１４は、第１縦溝部１２の上方に設けられ、落下防止バー２０の他方の長手部２３が上側から挿入できるように、開口部１８を有する溝である。
【００３２】
また、第２縦溝部１４の溝を形成する両側面のうち物品収納棚３０側の内側面が上方斜め方向に形成されている。一方、他方（反対側）の側面が開口部１８の上側に、開口部１８を覆うように延伸されている。
【００３３】
さらに、第２縦溝部１４は、溝を形成する両側面のうち物品収納棚３０側の側面が開口部１８上端よりも上方に延伸され、延伸された部分の内側面側（物品収納棚３０と反対側）が円弧状に切り欠かかれている。
【００３４】
ブラケット部１０の物品収納棚３０側の端部はストレート形状であり、その部分に、物品収納棚３０に、図示しないボルトで取り付けるための取付孔４０が４箇所設けられている。
【００３５】
落下防止バー２０は、物品収納棚３０の左右の支柱３２，３４間に掛け渡されるバーであり、図３に示すように、２本の長手部２２，２３とその２本の長手部２２，２３の端部を結合する２本の短手部２４，２５により略矩形状に形成されている。具体的には、スチール等の金属のバー材を曲げ加工して、矩形状に一体成形してある。
【００３６】
また、落下防止バー２０の中央付近に２箇所及び短手部２４，２５それぞれの近傍に、強度を高めるための補強材２６が取り付けられている。
なお、長手部２２，２３や短手部２４，２５の長さは、物品収納棚３０の幅や棚の間隔或いは、物品収納棚３０に収納する物品の大きさによって決定すればよい。また、長手部２２，２３や短手部２４，２５を構成するバーの太さは、必要とする強度によって決定すればよい。
（物品落下防止装置１の特徴）
以上に説明した物品落下防止装置１では、落下防止バー２０が略矩形状に形成されているため、落下防止バー２０自体の強度が１本のものに比べて強い。
【００３７】
また、物品収納棚３０の左右の支柱３２，３４の前面に、常に２本の長手部２２，２３が架け渡されているので、短手部２４，２５の長さを物品の大きさに合わせて適切に設定することにより、物品収納棚３０に収納されている物品の高さが高い場合には、その物品の側面を２箇所で支えることになり、高い物品であっても物品の落下を防止することができる。
【００３８】
さらに、物品収納棚３０に物品を縦に２個重ねて収納するような場合には、２本の長手部２２，２３のうち上下それぞれの長手部２２，２３で上下に重ねられた物品のそれぞれの側面を支えることができるので、２個の物品を重ねて収納した場合でも、両方の物品の落下を防止することができる。
【００３９】
また、落下防止バー２０を、長手部２２，２３の一方（長手部２２）を中心に回動させながら上向きに移動させ、他方の長手部２３を第２縦溝部１４に挿入した後に、落下防止バー２０全体を少し下向きに移動させることによって、落下防止バー２０を簡単に固定することができる(図１にＡで示す）。
【００４０】
逆に、落下防止バー２０を取り外す際には、落下防止バー２０全体を少し上向きに移動させて、他方の長手部２３を第２縦溝部１４から抜き、一方の長手部２２を中心に回動させながら、第１縦溝部１２を下向きに移動させることにより、簡単に、落下防止バー２０全体を、第１縦溝部１２の下端からに吊り下げるようにして取り外すことができる（図１にＢで示す）。
【００４１】
また、第１縦溝部１２の下端部が上端部よりも物品収納棚３０に近い位置にあるので、落下防止バー２０を取り外した状態（第１縦溝部１２の下端に吊り下げた状態）のときに、物品収納棚３０から物品を取り出す際に、落下防止バー２０がじゃまにならない。
【００４２】
また、物品や作業者の手が触れるなどの原因により落下防止バー２０が揺れても、物品収納棚３０に強く当たることがないので、落下防止バー２０や物品収納棚３０を傷つけることがなくなる。
【００４３】
さらに、第１縦溝部１２に、上端部から物品収納棚３０側の側端までの水平方向の切欠き１６を設けてあるので、落下防止バー２０を分割する構造とせず、一体化構造とすることができる。したがって、落下防止バー２０をより強度が高く、低コストで作ることができる。
【００４４】
また、第２縦溝部１４の溝を形成する両側面のうち物品収納棚３０側の内側面が上方斜め方向に形成されており、他方の側面が開口部１８の上側に、開口部１８を覆うように延伸されている。
【００４５】
したがって、落下防止バー２０の他方の長手部２３を第２縦溝部１４に挿入しやすく、かつ、一端挿入した他方の長手部２３が、振動などで抜けにくくなる。
また、第２縦溝部１４の溝を形成する両側面のうち物品収納棚３０側の側面を開口部１８上端よりも上方に延伸させ、延伸した部分の内側面側を円弧状に切り欠いてあるので、落下防止バー２０の他方の長手部２３を第２縦溝部１４に挿入しやすく、かつ、挿入の際に他方の長手部２３が物品収納棚３０に衝突することがなくなるので、物品収納棚３０を傷つけることがない。
［第２実施形態］
次に図４に基づき、ブラケット部１０の形状を変更した第２実施形態について説明する。第２実施形態では、第１実施形態においてブラケット部１０の形状を変更しただけであるので、同じ構成品には同じ符号を付し、その説明を省略する。
【００４６】
第２実施形態では、図４に示すように、ブラケット部１０の物品収納棚３０側の端部が外側に直角に曲げたアングル状になっており、切欠き１６を挟んで２箇所ずつ（計４箇所）、取付孔４０が設けられている。
【００４７】
このようにすると、ブラケット部１０を物品収納棚３０（の支柱３２，３４）の側面でなく、前面に取り付けることができる。
［その他の実施形態］
（１）上記実施形態では、ブラケット部１０や落下防止バー２０の材料は金属材であるとしていたが、強度が余り必要でない場合には、樹脂製にしてもよい。
（２）落下防止バー２０の長手部２２，２３の間に、樹脂製のシート材、樹脂板材、金属材をはめ込み、その表面に、収納する物品の名称などを記載するようにしてもよい。
【符号の説明】
【００４８】
１… 物品落下防止装置  １０… ブラケット部  １２… 第１縦溝部  １４… 第２縦溝部  １８… 開口部  ２０… 落下防止バー  ２２，２３… 長手部  ２４，２５… 短手部  ２６… 補強材  ３０… 物品収納棚  ３２，３４… 支柱  ４０… 取付孔。
【図１】
0003178400.tif 000003
【図２】
0003178400.tif 000004
【図３】
0003178400.tif 000005
【図４】
0003178400.tif 000006